(57)【要約】【課題】電子機器における非動作状態での消費電力をより一層低下させることができるようにする。【解決手段】接続される負荷機器１０が動作状態である場合に対応する第１の電圧値１７と、負荷機器が非動作状態である場合に対応する第２の電圧値１８の少なくとも２つの電圧値を出力可能な電源と、負荷機器の消費電力を検出する検出部１１と、検出部により検出された消費電力値に基づいて、負荷機器が動作状態であるか非動作状態であるかを判定する判定部２１と、判定部により負荷機器が動作状態であると判定された場合には、電源に第１の電圧値を出力させ、判定部により負荷機器が非動作状態であると判定された場合には、電源に第２の電圧値を出力させる電圧制御部１５とを具備する。【選択図】      図３
2004222452.tif 000002
【特許請求の範囲】
【請求項１】
接続される負荷機器が動作状態である場合に対応する第１の電圧値と、前記負荷機器が非動作状態である場合に対応する第２の電圧値の少なくとも２つの電圧値を出力可能な電源と、
前記負荷機器の消費電力を検出する検出手段と、
該検出手段により検出された消費電力値に基づいて、前記負荷機器が動作状態であるか非動作状態であるかを判定する判定手段と、
前記判定手段により前記負荷機器が動作状態であると判定された場合には、前記電源に前記第１の電圧値を出力させ、前記判定手段により前記負荷機器が非動作状態であると判定された場合には、前記電源に前記第２の電圧値を出力させる電圧制御手段とを具備することを特徴とする電源回路。
【発明の詳細な説明】
【０００１】
【発明の属する技術分野】
本発明はスイッチング電源回路の出力電圧制御技術に関するものである。
【０００２】
【従来の技術】
近年の電子機器は機器内の制御回路が複雑に制御を行っているものが多く、動作状態から非動作状態に移行する場合には、所定の処理をする必要がある。このため動作状態、及び非動作状態への移行処理中に電子機器内の電源回路の１次側と電力源の接続を切り離すことで電子機器を非動作状態に移行させると、再び動作状態への移行が不可能になることがある。また一方で、電子機器内の制御回路は動作状態への復帰の操作を待つために非動作状態を保持しており電力を消費している。このことは電子機器の非動作時の消費電力を下げることを目指した場合に障害となっていた。従来の非動作状態における電子機器の消費電力を低減するための方法としては、電源回路で出力電流が低下したことを検出すると内部のスイッチング素子を間欠発振させ、消費電力を抑える方法がある。
【０００３】
【発明が解決しようとする課題】
しかしながら、上記の従来の方法では、電子機器の非動作状態における消費電力を十分に低下させられておらず問題となっていた。
【０００４】
したがって、本発明は上述した課題に鑑みてなされたものであり、その目的は、電子機器における非動作状態での消費電力をより一層低下させることができるようにすることである。
【０００５】
【課題を解決するための手段】
上述した課題を解決し、目的を達成するために、本発明に係わる電源回路は、接続される負荷機器が動作状態である場合に対応する第１の電圧値と、前記負荷機器が非動作状態である場合に対応する第２の電圧値の少なくとも２つの電圧値を出力可能な電源と、前記負荷機器の消費電力を検出する検出手段と、該検出手段により検出された消費電力値に基づいて、前記負荷機器が動作状態であるか非動作状態であるかを判定する判定手段と、前記判定手段により前記負荷機器が動作状態であると判定された場合には、前記電源に前記第１の電圧値を出力させ、前記判定手段により前記負荷機器が非動作状態であると判定された場合には、前記電源に前記第２の電圧値を出力させる電圧制御手段とを具備することを特徴とする。
【０００６】
【発明の実施の形態】
以下、本発明の好適な実施形態について説明する。
【０００７】
一般に電子機器内の電子回路は動作状態から非動作状態に移行すると消費電力が低下する。そこで、本実施形態では、電子機器内の電源回路に負荷状態を検出する手段、検出された負荷状態から電子回路の状態を動作状態、または非動作状態のどちらかに判定する動作状態判定手段をそれぞれ持たせ、判定された状態が動作状態の場合は電子回路の動作に十分な電圧を電源回路から供給するが、判定された状態が非動作状態であった場合は、電子回路が状態を保持するために必要かつ十分な動作状態時より低い電圧を電源回路から供給することによって、非動作状態における電子回路の消費電力を低下させることが可能となる。
【０００８】
以下、本発明をインクジェット記録装置に適用した実施形態について説明する。
【０００９】
＜インクジェット記録装置の説明（図１）＞
図１は本発明の代表的な実施形態であるインクジェット記録装置１の構成の概要を示す外観斜視図である。
【００１０】
図１に示すように、インクジェット記録装置（以下、記録装置という）は、インクジェット方式に従ってインクを吐出して記録を行なう記録ヘッド１００３を搭載したキャリッジ１００２にキャリッジモータＭ１によって発生する駆動力を伝達機構１００４より伝え、キャリッジ１００２を矢印Ａ方向に往復移動させるとともに、例えば、記録紙などの記録媒体Ｐを給紙機構１００５を介して給紙し、記録位置まで搬送し、その記録位置において記録ヘッド１００３から記録媒体Ｐにインクを吐出することで記録を行なう。
【００１１】
また、記録ヘッド１００３の状態を良好に維持するためにキャリッジ１００２を回復装置１０１０の位置まで移動させ、間欠的に記録ヘッド１００３の吐出回復処理を行う。
【００１２】
記録装置１００１のキャリッジ１００２には記録ヘッド１００３を搭載するのみならず、記録ヘッド１００３に供給するインクを貯留するインクカートリッジ１００６を装着する。インクカートリッジ１００６はキャリッジ１００２に対して着脱自在になっている。
【００１３】
図１に示した記録装置１００１はカラー記録が可能であり、そのためにキャリッジ１００２にはマゼンタ（Ｍ）、シアン（Ｃ）、イエロ（Ｙ）、ブラック（Ｋ）のインクを夫々、収容した４つのインクカートリッジを搭載している。これら４つのインクカートリッジは夫々独立に着脱可能である。
【００１４】
さて、キャリッジ１００２と記録ヘッド１００３とは、両部材の接合面が適正に接触されて所要の電気的接続を達成維持できるようになっている。記録ヘッド１００３は、記録信号に応じてエネルギーを印加することにより、複数の吐出口からインクを選択的に吐出して記録する。特に、この実施形態の記録ヘッド１００３は、熱エネルギーを利用してインクを吐出するインクジェット方式を採用し、熱エネルギーを発生するために電気熱変換体を備え、その電気熱変換体に印加される電気エネルギーが熱エネルギーへと変換され、その熱エネルギーをインクに与えることにより生じる膜沸騰による気泡の成長、収縮によって生じる圧力変化を利用して、吐出口よりインクを吐出させる。この電気熱変換体は各吐出口のそれぞれに対応して設けられ、記録信号に応じて対応する電気熱変換体にパルス電圧を印加することによって対応する吐出口からインクを吐出する。
【００１５】
図１に示されているように、キャリッジ１００２はキャリッジモータＭ１の駆動力を伝達する伝達機構１００４の駆動ベルト１００７の一部に連結されており、ガイドシャフト１０１３に沿って矢印Ａ方向に摺動自在に案内支持されるようになっている。従って、キャリッジ１００２は、キャリッジモータＭ１の正転及び逆転によってガイドシャフト１０１３に沿って往復移動する。また、キャリッジ１００２の移動方向（矢印Ａ方向）に沿ってキャリッジ１００２の絶対位置を示すためのスケール１００８が備えられている。この実施形態では、スケール１００８は透明なＰＥＴフィルムに必要なピッチで黒色のバーを印刷したものを用いており、その一方はシャーシ１００９に固着され、他方は板バネ（不図示）で支持されている。
【００１６】
また、記録装置１００１には、記録ヘッド１００３の吐出口（不図示）が形成された吐出口面に対向してプラテン（不図示）が設けられており、キャリッジモータＭ１の駆動力によって記録ヘッド１００３を搭載したキャリッジ１００２が往復移動されると同時に、記録ヘッド１００３に記録信号を与えてインクを吐出することによって、プラテン上に搬送された記録媒体Ｐの全幅にわたって記録が行われる。
【００１７】
さらに、図１において、１０１４は記録媒体Ｐを搬送するために搬送モータＭ２によって駆動される搬送ローラ、１０１５はバネ（不図示）により記録媒体Ｐを搬送ローラ１０１４に当接するピンチローラ、１０１６はピンチローラ１０１５を回転自在に支持するピンチローラホルダ、１０１７は搬送ローラ１０１４の一端に固着された搬送ローラギアである。そして、搬送ローラギア１０１７に中間ギア（不図示）を介して伝達された搬送モータＭ２の回転により、搬送ローラ１０１４が駆動される。
【００１８】
またさらに、１０２０は記録ヘッド１００３によって画像が形成された記録媒体Ｐを記録装置外ヘ排出するための排出ローラであり、搬送モータＭ２の回転が伝達されることで駆動されるようになっている。なお、排出ローラ１０２０は記録媒体Ｐをバネ（不図示）により圧接する拍車ローラ（不図示）により当接する。１０２２は拍車ローラを回転自在に支持する拍車ホルダである。
【００１９】
またさらに、記録装置１００１には、図１に示されているように、記録ヘッド１００３を搭載するキャリッジ１００２の記録動作のための往復運動の範囲外（記録領域外）の所望位置（例えば、ホームポジションに対応する位置）に、記録ヘッド３の吐出不良を回復するための回復装置１０１０が配設されている。
【００２０】
回復装置１０１０は、記録ヘッド１００３の吐出口面をキャッピングするキャッピング機構１１と記録ヘッド１００３の吐出口面をクリーニングするワイピング機構１０１２を備えており、キャッピング機構１０１１による吐出口面のキャッピングに連動して回復装置内の吸引手段（吸引ポンプ等）により吐出口からインクを強制的に排出させ、それによって、記録ヘッド１００３のインク流路内の粘度の増したインクや気泡等を除去するなどの吐出回復処理を行う。
【００２１】
また、非記録動作時等には、記録ヘッド１００３の吐出口面をキャッピング機構１０１１によるキャッピングすることによって、記録ヘッド１００３を保護するとともにインクの蒸発や乾燥を防止することができる。一方、ワイピング機構１０１２はキャッピング機構１０１１の近傍に配され、記録ヘッド１００３の吐出口面に付着したインク液滴を拭き取るようになっている。
【００２２】
これらキャッピング機構１０１１及びワイピング機構１０１２により、記録ヘッド１００３のインク吐出状態を正常に保つことが可能となっている。
【００２３】
＜インクジェット記録装置の制御構成（図２）＞
図２は図１に示した記録装置の制御構成を示すブロック図である。
【００２４】
図２に示すように、コントローラ６００は、ＭＰＵ６０１、後述する制御シーケンスに対応したプログラム、所要のテーブル、その他の固定データを格納したＲＯＭ６０２、キャリッジモータＭ１の制御、搬送モータＭ２の制御、及び、記録ヘッド１００３の制御のための制御信号を生成する特殊用途集積回路（ＡＳＩＣ）６０３、画像データの展開領域やプログラム実行のための作業用領域等を設けたＲＡＭ６０４、ＭＰＵ６０１、ＡＳＩＣ６０３、ＲＡＭ６０４を相互に接続してデータの授受を行うシステムバス６０５、以下に説明するセンサ群からのアナログ信号を入力してＡ／Ｄ変換し、デジタル信号をＭＰＵ６０１に供給するＡ／Ｄ変換器６０６などで構成される。
【００２５】
また、図２において、６１０は画像データの供給源となるコンピュータ（或いは、画像読取り用のリーダやデジタルカメラなど）でありホスト装置と総称される。ホスト装置６１０と記録装置１００１との間ではインタフェース（Ｉ／Ｆ）６１１を介して画像データ、コマンド、ステータス信号等を送受信する。
【００２６】
さらに、６２０はスイッチ群であり、電源スイッチ６２１、プリント開始を指令するためのプリントスイッチ６２２、及び記録ヘッド１００３のインク吐出性能を良好な状態に維持するための処理（回復処理）の起動を指示するための回復スイッチ６２３など、操作者による指令入力を受けるためのスイッチから構成される。６３０はホームポジションｈを検出するためのフォトカプラなどの位置センサ６３１、環境温度を検出するために記録装置の適宜の箇所に設けられた温度センサ６３２等から構成される装置状態を検出するためのセンサ群である。
【００２７】
さらに、６４０はキャリッジ１００２を矢印Ａ方向に往復走査させるためのキャリッジモータＭ１を駆動させるキャリッジモータドライバ、６４２は記録媒体Ｐを搬送するための搬送モータＭ２を駆動させる搬送モータドライバである。
【００２８】
次に、上述したインクジェット記録装置に用いられる電源回路の実施形態について説明する。
【００２９】
（第１の実施形態）
図３は第１の実施形態の電源回路の構成を示す図である。
【００３０】
図３において、１は交流電力の供給を受けるためのＡＣコンセント、２は交流電流を直流電流に整流するための整流回路、３は整流回路２で整流された直流電流を平滑化する平滑コンデンサ、４は電圧を変換するためのトランス、５はスイッチング素子、６はスイッチング素子５のスイッチングタイミングの基本となるノコギリ波を発生させるノコギリ波発生回路、７はスイッチング素子を制御するスイッチング信号を生成するスイッチング信号生成器、８は整流用ダイオード、９は出力フィルタコンデンサ、１０は本電源回路に接続されている回路（例えば上述したコントローラ６００などの制御回路、あるいはモータドライバなど）で以下負荷と呼ぶ。
【００３１】
１１は電源の出力電圧の状態をフィードバックさせるためのフィードバック制御回路、１２はフィードバック制御回路１１からの信号を電源回路の１次側に伝えるためのフォトカプラ、１３はフォトカプラ１２から送られる電源回路の出力電圧の状態を示す出力電圧値信号、１４は負荷１０の状態を判定する基準となる＋２Ｖ基準電圧、１５は負荷１０の状態を判定するためのＯＮ時間比較器、１６は電源の出力電圧に、動作状態用の＋５Ｖ、非動作状態用の＋１Ｖのどちらを用いるかを指定する出力電圧指定信号、１７は＋５Ｖ基準電圧を生成する＋５Ｖ基準電圧、１８は＋１Ｖ基準電圧を生成する＋１Ｖ基準電圧、１９は＋５Ｖ基準電圧、＋１Ｖ基準電圧のどちらを電源回路の出力電圧値の基準に用いるかを選択する基準電圧セレクタ、２０は基準電圧セレクタ１９で選択された基準出力電圧、２１は電源の出力電圧値と基準電圧とを比較するための差動増幅器で本実施形態では１倍の増幅率とする、２２は電圧加算機で差動増幅器２１の出力を元に次回のスイッチング素子５のＯＮ時間を設定する際の基本となる。また電圧加算器２２はスイッチング素子５の動作１周期ごとに動作を行う。２３は電圧加算器２２の出力を最大＋４Ｖに制限する電圧リミッター、２４はスイッチング素子５のＯＮ時間を設定するためのＯＮ時間信号である。
【００３２】
図４は、本実施形態の電源回路の動作を説明する状態遷移図である。以下、図３、図４を参照して動作の詳細を説明する。
【００３３】
最初に回路が動作を始める際の各部の動きを説明していく。
【００３４】
図４において、ステップＳ１０１でＡＣコンセント１を電力源（不図示）に接続すると電源回路は動作を始める。ノコギリ波発生回路６はノコギリ波を出力し始め、＋２Ｖ基準電圧１４、＋５Ｖ基準電圧１７、＋１Ｖ基準電圧１８はそれぞれの出力電圧を出力し始め、その他の回路も動作を始める。
【００３５】
次にステップＳ１０５へ移行する。電源回路が動作を開始した直後は、基準電圧セレクタ１９は＋５Ｖ基準電圧１７側に接続されており、基準出力電圧２０も＋５Ｖの値を取っている。また電源回路の出力電圧もこの時点では０Ｖである。よって出力電圧値信号１３は０Ｖになっている。このためステップＳ１０５では差動増幅器２１が出力電圧値信号１３と基準出力電圧２０とを比較して「低い」と判定する。この結果ステップＳ１０６に移行する。
【００３６】
この時差動増幅器２１の出力は＋５Ｖになり、電圧加算器２２に入力される。電源回路が動作した最初はＯＮ時間信号２４も０Ｖであるため、電圧加算器２２の入力は０Ｖと＋５Ｖとなって、電圧加算器２２の出力は＋５Ｖになる。＋５Ｖの電圧加算器２２の出力は、電圧リミッター２３を通り＋４ＶのＯＮ時間信号となる。よってステップＳ１０６ではスイッチング素子５のＯＮ時間は最大の＋４Ｖに設定される。
【００３７】
つぎにステップＳ１０９に移行しノコギリ波発生回路６の出力と、ＯＮ時間信号を用いてスイッチング信号生成器７はスイッチング素子５をＯＮ−ＯＦＦ動作させる。次にステップＳ１０２に移行するが、ＯＮ時間信号２４は＋４ＶであるためＯＮ時間比較器１５はＯＮ時間信号２４と＋２Ｖ基準電圧１４を比較しプラスの値を出力電圧指定信号１６として出力する。出力電圧指定信号１６がプラスの場合基準電圧セレクタ１９は＋５Ｖ基準電圧１７を選択し、Ｓ１０２での判定は「Ｙｅｓ」となり、ステップＳ１０３へ移行し基準電圧セレクタ１９は基準出力電圧２０に＋５Ｖ基準電圧１７を選択する。
【００３８】
次にステップＳ１０５に移行し出力電圧値信号１３と＋５Ｖに設定された基準出力電圧２０を差動増幅器２１にて比較するが、この時点では電源の出力電圧は０Ｖからあまり変化していないため前回と同様に差動増幅器２１はプラスの値を出力し、ステップＳ１０５では「低い」と判定されステップＳ１０６へ移行する。次に電圧加算器２３には＋４ＶのＯＮ時間信号２４と、約＋５Ｖの差動増幅器２１の出力が入力され約＋９Ｖの値を取るが、電圧リミッター２３によってＯＮ時間信号は＋４Ｖに制限される。このためステップＳ１０６でスイッチング素子５のＯＮ時間を長く設定しようとするが、ＯＮ時間信号２４は最大値の＋４Ｖに設定されているため前回と同じ値を用いてスイッチング素子のＯＮ時間を設定する。
【００３９】
次にステップＳ１０９で＋４Ｖに設定されたＯＮ時間信号２４とノコギリ波発生回路６の出力信号を用いてコンパレータ７はスイッチング素子５に対して駆動パルスを出力し、この駆動パルスによってスイッチング素子５はＯＮ−ＯＦＦ動作を行う。
【００４０】
次に再びステップＳ１０２に移行しＯＮ時間信号２４と＋２Ｖ基準電圧１４を比較する。しかしＯＮ時間信号２４は少なくとも出力電圧値信号１３が＋５Ｖに到達するまでは差動増幅器２１の出力がプラスの値を取るため、＋４Ｖを維持しつづける。このためここでの判定は「Ｙｅｓ」となる。この結果前回と同様にステップＳ１０３、ステップＳ１０５、ステップＳ１０６、ステップＳ１０９と処理を進める。
【００４１】
上記の一連の処理を何度か繰り返した後、電源回路の出力電圧が＋５Ｖに到達すると、出力電圧信号１３が＋５Ｖを示すようになるため、ステップＳ１０５で出力電圧と基準電圧が「同じ」と判定され、ステップＳ１０７へ移行するようになる。また差動増幅器２１が０Ｖを出力するためＯＮ時間信号２４は前回と同じ値を取ることになる。このことからステップＳ１０７ではスイッチング素子５のＯＮ時間が前回と同じ値に設定され、その後ステップＳ１０９に移行しスイッチング信号生成器７にてスイッチング素子５をＯＮ−ＯＦＦ動作させる。その後は電子機器が動作状態を保ち続ける場合は、負荷１０の消費電力の変動は標準的な電源回路と同様にステップＳ１０５で出力電圧と＋５Ｖ基準電圧を比較し、その結果にしたがってステップＳ１０６、ステップＳ１０７、ステップＳ１０８のいずれかの処理を行うことによって出力電圧が安定するよう制御される。
【００４２】
次に電子機器が非動作状態に移行する場合の電源回路の動作を説明する。
【００４３】
負荷１０が非動作状態に移行すると負荷１０の消費電力が低下する。そのため電源回路の電力供給が過剰となり出力電圧が上昇しようとする。そこで、フィードバック制御回路１１、フォトカプラ１２を経由して出力電圧の状態を知らせる出力電圧値信号１３と、＋５Ｖ基準電圧１７が選択されている基準出力電圧２０を差動増幅器２１が比較するが、出力電圧値信号１３が高くなるために差動増幅器２１は負の値を出力する。このことによってステップＳ１０５では出力電圧が「高い」と判定され、差動増幅器２１の負の値をとった出力は電圧加算器２２で加算され、電圧加算器２２の出力は前回の値より低下する。このためＯＮ時間信号２４が前回より低い値、すなわちスイッチング素子５のＯＮ時間が短くなるような値を取る。このことからステップＳ１０８でスイッチング素子５のＯＮ時間が前回のＯＮ時間より短くなるように設定される。
【００４４】
次にステップＳ１０９で前回より低い値を取ったＯＮ時間信号２４を用いてスイッチング信号生成器７はスイッチング素子５をＯＮ−ＯＦＦ動作させる。その後ステップＳ１０２に移行すると負荷１０が非動作状態に移行して消費電流が低下しているため、ＯＮ時間比較器１５はＯＮ時間信号２４が＋２Ｖ基準電圧より小さいと判定し、ステップＳ１０４に移行しスイッチング信号生成器７は基準出力電圧に＋１Ｖ基準電圧１８を使用するように出力電圧指定信号１６にて基準電圧セレクタ１９に伝える。
【００４５】
その後ステップＳ１１３にて出力電圧値信号１３と＋１Ｖ基準電圧１８が選択されている基準出力電圧２０を比較する。すると負荷１０が非動作状態に移行した後しばらくはステップＳ１１３で出力電圧値信号１３が「高い」と判断され、ステップＳ１１６でスイッチング素子５のＯＮ時間を以前のＯＮ時間より短く設定する。その後ステップＳ１１７でスイッチング素子５をＯＮ−ＯＦＦ動作させステップＳ１１０へ移行する。
【００４６】
ステップＳ１１０では負荷１０が非動作状態を保っている場合消費電力が少ないままなので、ＯＮ時間信号２４は小さい値を示し、ＯＮ時間比較器１５は＋２Ｖ基準電圧１４とＯＮ時間信号２４を比較しＯＮ時間信号２４の方が小さいと判定し、ステップＳ１１０での判定は「Ｎｏ」となる。
【００４７】
次にステップＳ１１２に移行し、ＯＮ時間比較器１５の判定結果にしたがって出力電圧指定信号１６には＋１Ｖ基準電圧１８を選択するように信号が出力される。この結果ステップＳ１１２で基準出力電圧２０が＋１Ｖに設定される。
【００４８】
次にステップＳ１１３で電源回路の出力電圧と＋１Ｖ基準電圧を比較するために基準出力電圧２０と出力電圧値信号１３を比較する。負荷１０が非動作状態に移行し、ステップＳ１１０にて「Ｎｏ」すなわち負荷が非動作状態と判定された場合電源回路の出力電圧は＋５Ｖから＋１Ｖに低下していくため、ステップＳ１１３では＋１Ｖの基準出力電圧２０と、出力電圧値信号１３を差動増幅器２１にて比較した結果、出力電圧値信号１３は＋５Ｖと＋１Ｖの間の値を取っているため「高い」と判定され、ステップＳ１１６にて差動増幅器２１のマイナスの値を持った出力が電圧加算器２２に入力され、この結果ＯＮ時間信号２４は前回よりスイッチング素子５のＯＮ時間を短くするように設定する。ただし電圧加算器２２はマイナスの値を取れないためＯＮ時間信号２４は最小値が０Ｖとなる。
【００４９】
次にステップＳ１１７にてスイッチング素子を動作させるが、ＯＮ時間信号２４が０Ｖの場合はスイッチング素子５は動作をせずにステップＳ１１０へ移行する。上記の処理を繰り返すと、やがて電源回路の出力電圧が＋１Ｖに到達し、ステップＳ１１３で差動増幅器２１が出力電圧値信号１３と＋１Ｖの基準出力電圧２０を比較した結果が同じになるためステップＳ１１５へ移行するようになる。すると、差動増幅器２１の出力が０Ｖとなり、電圧加算器２２の出力は一定の電圧を保つようになる。このため、ＯＮ時間信号２４は前回と同じ値を保つようになり、この結果スイッチング素子５のＯＮ時間が前回と同じ値に設定される。
【００５０】
そしてステップＳ１１７でスイッチング素子５を１周期動作させ、ステップＳ１１０へ移行する。電子機器の状態が非動作状態を続けるならば、ステップＳ１１０で「Ｎｏ」と判断され、ステップＳ１１３で「同じ」と判断されるため図２の電子機器が非動作状態の中で動作を繰り返す。
【００５１】
次に、電子機器が非動作状態から動作状態に移行する場合の動作を説明する。
【００５２】
まず負荷１０が動作状態に移行すると負荷１０の消費電力が増加するために電源回路の出力電圧が低下する。するとステップＳ１１３で差動増幅器２１は出力電圧値信号１３と＋１Ｖの基準出力電圧２０を比較して電源回路の出力電圧が＋１Ｖより低いと判断する。このため差動増幅器２１の出力はプラスの値を出力し、電圧加算器２２の出力は増加し、ＯＮ時間信号２４の値も増加する。
【００５３】
そこでステップＳ１１４に移行しスイッチング素子５のＯＮ時間が前回のＯＮ時間より長くなるように設定され、ステップＳ１１７でスイッチング素子５をＯＮ−ＯＦＦ動作させる。この結果電源の出力電圧は上昇しようとする。次に再びステップＳ１１０へ移行しＯＮ時間比較器１５がＯＮ時間信号２４を＋２Ｖ基準電圧１４と比較するが回路１０が動作状態に移行しているために消費電力が大きく、ＯＮ時間比較器１５は＋２Ｖ基準電圧１４よりＯＮ時間信号２４の方が大きいと判断する。このためステップＳ１１０の判定結果が「Ｙｅｓ」となりステップＳ１１１へ移行する。
【００５４】
さらにＯＮ時間比較器１５は出力電圧指定信号１６を用いて基準電圧セレクタ１９に＋５Ｖ基準電圧１７を使用するように指示する。このため基準電圧セレクタ１９は＋５Ｖ基準電圧１７を基準出力電圧２０に選択し、差動増幅器２１が＋５Ｖの基準出力電圧２０と出力電圧値信号１３を比較するように設定しステップＳ１０５に移行する。
【００５５】
ステップＳ１１１からステップＳ１０５に移行した直後は電源回路の出力電圧が＋１Ｖから＋５Ｖへ上昇している途中なので出力電圧値信号１３は＋５Ｖ基準電圧より低い値を示すためステップＳ１０５では「低い」と判定されステップＳ１０６へ移行する。ステップＳ１０６では差動増幅器２１が出力電圧値信号１３と基準出力電圧２０を比較した結果、出力電圧値信号１３が基準出力電圧２０より低いためにプラスの値を出力する。このため電圧加算器２２の出力は増加し、ＯＮ時間信号２４も増加する。このためスイッチング信号生成器７はスイッチング素子５のＯＮ時間を前回のＯＮ時間より長くなるように働き、ステップＳ１０９でスイッチング素子をＯＮ−ＯＦＦ動作させステップＳ１０１に移行する。
【００５６】
その後ステップＳ１０２で「Ｙｅｓ」、ステップＳ１０５で「低い」と判定され、電子機器が動作状態の枠内の処理を繰り替えしていき、徐々に出力電圧が＋５Ｖに近づいていく。そして電源回路の出力電圧が＋５Ｖに到達したならば、出力電圧値信号１３と基準出力電圧２０が同じ値となり、差動増幅器２１の出力がゼロとなる。この結果電圧加算器２２の出力は前回と同じ値に保たれ、ＯＮ時間信号２４も前回と同じ値となる。このためステップＳ１０５で出力電圧と＋５Ｖ基準電圧を比較して「同じ」と判定される。そこで次にステップＳ１０７に移行しスイッチング素子５のＯＮ時間を前回のＯＮ時間と同じになるように設定し、ステップＳ１０９でスイッチング素子をＯＮ−ＯＦＦさせる。
【００５７】
その後、回路１６が動作状態である間は負荷１０の消費電力が大きいためステップＳ１０２で「Ｙｅｓ」と判定され、図２中の電子機器が動作状態の処理を繰り返し、電源回路の出力電圧を＋５Ｖに安定させる。
【００５８】
以上のような処理を行うことで、電子機器内の回路すなわち負荷の消費電力の変化を検出し、電源回路が状態に合わせた電圧を出力することが可能となり、この結果電子機器が非動作状態の場合の電源電圧を下げ、電子機器が非動作状態にあるときの消費電力を低下させることが可能となる。
【００５９】
また本実施形態では、動作状態に＋５Ｖ基準電圧１７、非動作状態に＋１Ｖ基準電圧１８、また負荷１０の状態を判定するために＋２Ｖ基準電圧１４、ＯＮ時間信号２４の電圧変動を制限するために＋４Ｖの電圧リミッター２３を使用したが、これらは電子機器の状況に合わせて任意の値を選ぶことが出来る。
【００６０】
（第２の実施形態）
図５は、第２の実施形態の電源回路の構成の構成を示す図ある。
【００６１】
２５は交流電力の供給を受けるためのＡＣコンセント、２６は交流電流を直流電流に整流するための整流回路、２７は整流回路２６で整流された直流電流を平滑化する平滑コンデンサ、２８は電圧を変換するためのトランス、２９はスイッチング素子、３０はノコギリ波発生回路、３１はスイッチング素子２９を動作させるための信号を生成するスイッチング信号生成器、３２はトランス２８で電圧変換された電流を整流する整流用ダイオード、３３は整流ダイオード３１で整流された電流を平滑化する出力フィルタコンデンサ、３４は本実施形態の電源回路に接続されている電子回路で本実施形態の電源とともに電子機器を構成している。本実施形態ではこれを負荷と呼ぶ。
【００６２】
３５は電源回路の出力電圧の状態を伝えるための出力電圧フィードバック制御回路、３６は出力電圧フィードバック制御回路３５から送られてくる電源回路の出力電圧の状態を伝えるための電圧用フォトカプラ、３７は電源回路の出力電圧の状態を表す出力電圧値信号、３８は電源回路の出力電流の状態を伝えるための出力電流フィードバック制御回路、３９は電源回路の出力電流の状態を伝えるための電流用フォトカプラ、４０は電源回路の出力電流の状態を表す出力電流値信号、４１は電子機器が動作状態、非動作状態のどちらにあるかを判定するための＋２Ｖ基準電圧、４２は負荷３４が動作状態、非動作状態のどちらの状態にあるかを判定するためのＯＮ時間比較器、４３はＯＮ時間比較器４２によって判定された電子機器の状態に対応した出力電圧を指定するための出力電圧指定信号、４４は電子機器が動作状態にある時に電源回路の出力電圧の基準となる＋５Ｖ基準電圧生成器、４５は電子機器が非動作状態にある時に電源回路の出力電圧の基準となる＋１Ｖ基準電圧、４６は電子機器が動作状態、非動作状態のどちらにあるかによって＋５Ｖ基準電圧４３または＋１Ｖ基準電圧４４のどちらを基準電圧として使用するかを選択するための基準電圧セレクタ、４７は基準電圧セレクタ４６によって選択された電源回路の出力電圧の基準となる基準出力電圧、４８は出力電圧値信号３７と基準出力電圧４７を比較し、電源回路の出力電圧について所定の電圧との差を検出するための差動増幅器、４９は電源回路の出力電圧の変化を加算する電圧加算器、５０は電圧加算器４９の出力を制限するための電圧リミッター、５１はスイッチング素子２９のＯＮ時間を制御するためのＯＮ時間信号である。
【００６３】
また図６は第２の実施形態の電源回路の動作を説明する図である。以下、図５、図６を参照して動作の詳細を説明する。
【００６４】
最初に電子機器が起動する際の動作を説明する。
【００６５】
図６において、ステップＳ２０１でＡＣコンセント１７を電力源（不図示）に接続すると電源回路に電流が供給される。ノコギリ波発生回路３０はノコギリ波を出力し始め、＋２Ｖ基準電圧４１、＋５Ｖ基準電圧４４、＋１Ｖ基準電圧４５はそれぞれの電圧を出力し始め、その他の回路も動作を始める。ここで電源回路が動作を開始した直後は、基準電圧セレクタ４６は＋５Ｖ基準電圧４４側に接続されているものとする。
【００６６】
次にステップＳ２０５に移行する。動作を始めた直後の電源回路の出力電圧は０Ｖであるため出力電圧値信号３７も０Ｖになっている。このため差動増幅器４８の出力は＋５Ｖになり、ステップＳ２０５での判定は「低い」となる。次にステップＳ２０６に移行し、＋５Ｖの差動増幅器４８の出力は電圧加算器４９に入力される。電源回路が動作した最初の時点ではＯＮ時間信号５１も０Ｖであるため、電圧加算器４９の入力は０Ｖと＋５Ｖとなって、電圧加算器２２の出力は＋５Ｖになる。＋５Ｖの電圧加算器４９の出力は、電圧リミッター５０を通り＋４ＶのＯＮ時間信号となる。このためステップＳ２０６ではスイッチング信号生成器３１はＯＮ時間信号５１で指定された＋４Ｖすなわち最大のＯＮ時間を設定する。次にステップＳ２０９へ移行しスイッチング素子２９をＯＮ−ＯＦＦ動作させる。
【００６７】
次にステップＳ２０２へ移行するが先ほどのステップＳ２０９でのスイッチング素子２９の動作によりトランスに電流が流れ、整流用ダイオード３２、出力フィルタコンデンサ３３、出力電流フィードバック制御回路３８を経由し負荷３４に供給されており、電源回路が機動を開始した直後は負荷３４内のコンデンサ（不図示）の影響で比較的大きな電流が流れている。このことは出力電流フィードバック制御回路３８によって検知され電流用フォトカプラ３９を経由して出力電流値信号４０としてＯＮ時間比較器４２に伝えられる。以上の結果ステップＳ２０２にてＯＮ時間比較器４２は＋２Ｖ基準電圧４１と出力電流値信号４０を比較し、出力電流値信号４０が大きく電源回路の出力電流値が大きいと判断し、電源回路の出力電圧には＋５Ｖを使用するように出力電圧指定信号４３を基準電圧セレクタ４６に送る。このためステップＳ２０２で「Ｙｅｓ」と判定され、ステップＳ２０３に移行する。
【００６８】
ステップＳ２０３ではＯＮ時間比較器４２から出力された＋５Ｖを選択するように指定した出力電圧指定信号４３が基準電圧セレクタ４６に出力される。基準電圧セレクタ４６は受け取った出力電圧指定信号４３に従い＋５Ｖ基準電圧４４を基準出力電圧４７に選択し、差動増幅器４８に＋５Ｖを送る。この結果ステップＳ２０３で出力電圧基準値は動作状態の＋５Ｖに設定される。
【００６９】
次にステップＳ２０５で差動増幅器４８が出力電圧値信号３７と基準出力電圧４７を比較する。電源回路起動直後は電源回路の出力電圧が動作時出力電圧である＋５Ｖに達していないのでステップＳ２０５で「低い」と判断されステップＳ２０６へ移行する。
【００７０】
次にステップＳ２０６では差動増幅器４８の出力がプラスの値を示し、電圧加算器４９の出力は前回より大きな値を取るようになる。このためスイッチング素子２９のＯＮ時間が前回より長くなるように設定を行う。ただし、電圧リミッター５０によってＯＮ時間信号５１は最大でも＋４Ｖに制限される。このため前回すでに最大値に設定されている場合は前回の設定と同じ最大のＯＮ時間を設定する。
【００７１】
次にステップＳ２０９でスイッチング信号生成器３１はスイッチング素子２９をＯＮ−ＯＦＦ動作させ、その後ステップＳ２０２へ移行し、再び出力電流値信号が＋２Ｖ基準電圧より大きいと判断し、前回と同様の処理を行いステップＳ２０２まで進む。以上の処理を何度か繰り返し実行すると、電源回路の出力電圧が＋５Ｖに到達する。
【００７２】
この時負荷３４が動作状態なので電源回路の出力電力が大きく、ＯＮ時間比較器４２は出力電流値信号４０と＋２Ｖ基準電圧４１を比較した結果、動作状態と判断し＋５Ｖ基準電圧４４を使用するように基準電圧セレクタ４６に出力電圧指定信号４３を送り、差動増幅器４８には＋５Ｖの基準出力電圧４７が伝えられる。このためステップＳ２０２で出力電流値信号が２Ｖ基準電圧より大きく「Ｙｅｓ」と判定され、ステップＳ２０３で基準出力電圧４７を動作状態の＋５Ｖに設定する。
【００７３】
次にステップＳ２０５に移行すると差動増幅器４８は出力電流値信号４０と＋５Ｖ基準電圧４４が選択された基準出力電圧４７を比較し「同じ」と判断し、差動増幅器４８の出力が０Ｖとなり、電圧加算器４９の出力は前回と同じ値になる。このためＯＮ時間信号は前回と同じ値となり、ステップＳ２０７でスイッチング素子２９のＯＮ時間を前回と同じに設定し、ステップＳ２０９でスイッチング信号生成器３１によってスイッチング素子２９をＯＮ−ＯＦＦ動作させる。電子機器が動作状態を続けるならば上記の処理を繰り返すことで電源回路の出力電圧を動作状態の＋５Ｖに保つことが出来る。
【００７４】
次に電子機器が非動作状態に移行する場合の動作を説明する。
【００７５】
電子機器が非動作状態に移行すると、負荷３４の消費電流が低下する。このことは出力電流フィードバック制御回路３８で検出され、電流用フォトカプラ３９を経由して出力電流値信号４０の低下としてＯＮ時間比較器４２に伝えられる。
【００７６】
そこでステップＳ２０２にてＯＮ時間比較器４２で出力電流値信号４０と＋２Ｖ基準電圧４１を比較して出力電流値信号４０のほうが小さいすなわち出力電流値信号が＋２Ｖの基準電圧より小さいと判定され、ステップＳ２０４に移行する。ステップＳ２０４ではＯＮ時間比較器４２が出力電流値信号４０の方が小さいと判定したために、基準電圧セレクタ４６に対して＋１Ｖ基準電圧４５を基準出力電圧４７に設定するように出力電圧指定信号４３が送られる。この結果ステップＳ２０４で基準出力電圧４７は非動作状態である＋１Ｖに設定される。
【００７７】
次にステップＳ２１３で差動増幅器４８は出力電圧フィードバック制御回路３５から電圧用フォトカプラ３６を経由して出力電圧値信号３７として伝えられる電源の出力電圧の状態と基準出力電圧４７を比較するが、ステップＳ２０４にて基準出力電圧４７を＋１Ｖに設定したため、出力電圧値信号３７の方が高いと判定する。このためステップＳ２１６にて差動増幅器４８の出力がマイナスの値を示し、電圧加算器４９の出力は前回の値より低い値を取るようになる。
【００７８】
この結果電圧リミッター５０の出力であるＯＮ時間信号５１も前回の値より小さい値を取るようになる。このためスイッチング信号生成器３１はスイッチング素子２９のＯＮ時間を前回より短くなるように設定する。次にステップＳ２１７でスイッチング素子２９をＯＮ−ＯＦＦ動作させる。
【００７９】
その後ステップＳ２１０へ移行するが負荷３４が非動作状態であるため消費電力が少なく、出力電流値信号４０が＋２Ｖ基準電圧より小さい値を示すためステップＳ２１０で出力電流値信号４０が＋２Ｖ基準電圧４１より小さいと判定され、ステップＳ２１２で＋１Ｖ基準電圧４５を基準出力電圧４７に使用するようにＯＮ時間比較器４２が基準電圧セレクタ４６に出力電圧指定信号４３を使って知らせ、基準出力電圧４７は＋１Ｖに設定される。
【００８０】
その後前回と同様にステップＳ２１６、ステップＳ２１７の処理を行いステップＳ２１０から処理を繰り返し行うとやがて電源回路の出力電圧が＋１Ｖになり、このことは出力電圧フィードバック制御回路３５、電圧用フォトカプラ３６を経由して出力電圧値信号３７にて差動増幅器４８に伝えられる。するとステップＳ２１３で差動増幅器４８は出力電圧値信号３７と＋１Ｖに設定された基準出力電圧４７を比較し０Ｖを出力し「同じ」と判定しステップＳ２１５へ移行する。
【００８１】
ステップＳ２１５では差動増幅器４８の出力が０Ｖであるために電圧加算器４９の出力も前回と同じ値を出力する。その結果電圧リミッター５０の出力であるＯＮ時間信号５１も前回と同じ値になる。したがってステップＳ２１５ではスイッチング素子２９のＯＮ時間が前回と同じに設定される。
【００８２】
次にステップＳ２１７に移行して前回と同じ値を示すＯＮ時間信号５１を用いてスイッチング素子２９をＯＮ−ＯＦＦ動作させる。以上の処理によって負荷３４が非動作状態に移行した場合、負荷３４の消費電力の変化を検出することによって負荷が非動作状態に移行した場合は電源回路の出力電圧を＋１Ｖに変更することが可能となる。
【００８３】
また負荷３４が非動作状態を保持している間における小さな電力変動は標準的な電源回路と同様にステップＳ２１３にて出力電圧値信号３７と＋１Ｖを示している基準出力電圧４７を比較し、ステップＳ２１４、ステップＳ２１５、ステップＳ２１６のいずれかの処理を行うことで電源回路の出力電圧を安定に保つことが可能となっている。
【００８４】
次に電子機器が再び動作状態に移行する様子を説明する。
【００８５】
電子機器が非動作状態にある場合、図６の非動作状態で示された範囲の処理を繰り返し行っている。この時、電子機器を動作状態に移行させると、負荷３４の消費電力が増加するが、このことをステップＳ２１０で検出するが、ステップＳ２１０では以下のような処理を行う。
【００８６】
出力電流フィードバック制御回路３８は電流用フォトカプラ３９を経由して出力電流値信号４０としてＯＮ時間比較器４２へ伝える。ここでＯＮ時間比較器４２は＋２Ｖ基準電圧４１と出力電流値信号４０を比較し、出力電流値信号４０が大きいと判断し、電源回路の出力電圧を動作状態の＋５Ｖにするために基準電圧セレクタ４６へ＋５Ｖ基準電圧４４を使用するように出力電圧指定信号４３を送る。
【００８７】
以上の処理のためステップＳ２１０で出力電流値信号４０と＋２Ｖ基準電圧４１の比較の結果「Ｙｅｓ」と判定される。次にステップＳ２１１で出力電圧指定信号４３によって、基準電圧セレクタ４６は＋５Ｖ基準電圧４４を基準出力電圧４７に送出する。この結果、基準出力電圧は動作状態に設定される。その後ステップＳ２０５へ移行するが、負荷３４の消費電力が増加したために電源回路の出力電圧が低下しているために、スイッチング制御回路２７は出力電圧値信号３７と、＋５Ｖが選択された基準出力電圧４７を比較し「低い」と判定し、ステップＳ２０６でスイッチング素子２９のＯＮ時間を前回より長く設定しステップＳ２０９でスイッチング素子２９をＯＮ−ＯＦＦ動作させる。
【００８８】
次にステップＳ２０２に移行するが負荷３４は動作状態であるため出力電流値信号４０が＋２Ｖ基準電圧４１より大きいので「Ｙｅｓ」と判定されステップＳ２０３で出力電圧基準値を動作状態に設定する。
【００８９】
再びステップＳ２０５に移行するが電源回路の出力電圧が＋５Ｖまで上昇していない場合、再び「低い」と判定され、ステップＳ２０６に移行し前回と同様の処理をステップＳ２０５まで行う。
【００９０】
以上の処理を繰り返すと、やがて電源回路の出力電圧が＋５Ｖに到達し、ステップＳ２０５で出力電圧信号と＋５Ｖ基準電圧を比較した結果「同じ」と判定され、ステップＳ２０７に移行しスイッチング素子２９のＯＮ時間を前回と同じに設定し、ステップＳ２０９へ移行しスイッチング素子２９をＯＮ−ＯＦＦ動作させる。
【００９１】
その後負荷３４が動作状態を保持する間は上記動作を繰り返す。電子機器が動作状態を保持している間は本電源回路も標準的な電源と同様にステップＳ２０５にて出力電圧の状態を判定しステップＳ２０６、ステップＳ２０７、ステップＳ２０８のいずれかの処理を行うことで、＋５Ｖに安定するように制御される。
【００９２】
この様に電子機器が非動作状態から動作状態に移行した場合、電源回路は負荷３４の消費電流の変化を出力電流値の増大として検知することによって出力電圧を動作状態用に事前に設定された電圧に変更することが可能となる。
【００９３】
以上説明したように、電源回路の出力に接続された回路３４の消費電流を電源回路内で監視することによって、回路が動作状態にあるか、非動作状態にあるかを判定すると、回路が非動作状態にある場合に電源回路は出力電圧を非動作状態用に設定された電圧に変更することが可能となり、非動作状態における消費電流（消費電力）を低減することが可能となる。
【００９４】
また本実施形態では、動作状態に＋５Ｖ基準電圧４４、非動作状態に＋１Ｖ基準電圧４５、また電源回路の出力電流により負荷３４の状態を判定するために＋２Ｖ基準電圧４１、ＯＮ時間信号２４の電圧変動を制限するために＋４Ｖの電圧リミッター５０を使用したが、これらは電子機器の状況に合わせて任意の値を選ぶことが出来る。
【００９５】
以上の動作を行うことで電子機器が非動作状態に移行した状態では、従来技術と比べ電源の出力電圧を低下させることによって、電源内の消費電流、及び、電源に接続された電子機器内の回路の消費電流を、より低下させることが可能となる。本実施形態は、特にＡＣアダプタを電源とする電子機器において非使用状態時の消費電力をより低下させるために有効な方法である。
【００９６】
以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【００９７】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。
【００９８】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００９９】
また、以上の実施形態は記録ヘッドを走査して記録を行なうシリアルタイプの記録装置であったが、記録媒体の幅に対応した長さを有する記録ヘッドを用いたフルラインタイプの記録装置であっても良い。フルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【０１００】
加えて、上記の実施形態で説明した記録ヘッド自体に一体的にインクタンクが設けられたカートリッジタイプの記録ヘッドのみならず、装置本体に装着されることで、装置本体との電気的な接続や装置本体からのインクの供給が可能になる交換自在のチップタイプの記録ヘッドを用いてもよい。
【０１０１】
また、以上説明した記録装置の構成に、記録ヘッドに対する回復手段、予備的な手段等を付加することは記録動作を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段などがある。また、記録とは別の吐出を行う予備吐出モードを備えることも安定した記録を行うために有効である。
【０１０２】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【０１０３】
以上説明した実施の形態においては、インクが液体であることを前提として説明しているが、室温やそれ以下で固化するインクであっても、室温で軟化もしくは液化するものを用いても良く、あるいはインクジェット方式ではインク自体を３０°Ｃ以上７０°Ｃ以下の範囲内で温度調整を行ってインクの粘性を安定吐出範囲にあるように温度制御するものが一般的であるから、使用記録信号付与時にインクが液状をなすものであればよい。
【０１０４】
さらに加えて、本発明に係る記録装置の形態としては、コンピュータ等の情報処理機器の画像出力端末として一体または別体に設けられるものの他、リーダ等と組み合わせた複写装置、さらには送受信機能を有するファクシミリ装置の形態を取るものであっても良い。
【０１０５】
【発明の効果】
以上説明したように、本発明によれば、電子機器における非動作状態での消費電力をより一層低下させることができる。
【図面の簡単な説明】
【図１】本発明の代表的な実施形態であるインクジェット記録装置の構成の概要を示す外観斜視図である。
【図２】図１に示すインクジェット記録装置の制御回路の構成を示すブロック図である。
【図３】第１の実施形態の電源回路の構成を示す図である。
【図４】第１の実施形態の電源回路の動作を示す図である。
【図５】第２の実施形態の電源回路の構成を示す図である。
【図６】第２の実施形態の電源回路の動作を示す図である。
【符号の説明】
１  ＡＣコンセント
２  整流回路
３  平滑コンデンサ
４  トランス
５  スイッチング素子
６  ノコギリ波発生回路
７  スイッチング信号生成器
８  整流用ダイオード
９  出力フィルタコンデンサ
１０  負荷
１１  フィードバック制御回路
１２  フォトカプラ
１３  出力電圧値信号
１４  ＋２Ｖ基準電圧
１５  ＯＮ時間比較器
１６  出力電圧指定信号
１７  ＋５Ｖ基準電圧
１８  ＋１Ｖ基準電圧
１９  基準電圧セレクタ
２０  基準出力電圧
２１  差動増幅器
２２  電圧加算器
２３  電圧リミッター
２４  ＯＮ時間信号
２５  ＡＣコンセント
２６  整流回路
２７  平滑コンデンサ
２８  トランス
２９  スイッチング素子
３０  ノコギリ波発生回路
３１  スイッチング信号生成器
３２  整流用ダイオード
３３  出力フィルタコンデンサ
３４  負荷
３５  出力電圧フィードバック制御回路
３６  電圧用フォトカプラ
３７  出力電圧値信号
３８  出力電流フィードバック制御回路
３９  電流用フォトカプラ
４０  出力電流値信号
４１  ＋２Ｖ基準電圧
４２  ＯＮ時間比較器
４３  出力電圧指定信号
４４  ＋５Ｖ基準電圧
４５  ＋１Ｖ基準電圧
４６  基準電圧セレクタ
４７  基準出力電圧
４８  差動増幅器
４９  電圧加算器
５０  電圧リミッター
５１  ＯＮ時間信号
【図１】
2004222452.tif 000003
【図２】
2004222452.tif 000004
【図３】
2004222452.tif 000005
【図４】
2004222452.tif 000006
【図５】
2004222452.tif 000007
【図６】
2004222452.tif 000008